(57)【要約】【課題】使用状態において鍋の種類の違い等による温度検出誤差を無くし、正確にセンサ部分の汚れを認識し、常にセンサ検出温度を正確に検出出来る状態を継続することを可能とするレンジフードを提供する。【解決手段】加熱調理器のトッププレート４付近の温度を計測する熱起電力型温度センサ５と、熱起電力型温度センサ５とトッププレート４の間に備える熱起電力型温度センサ５の汚れを防止する検出窓７と、熱起電力型温度センサ５の周囲温度を測定する第１の温度検出手段６と、トッププレート４の温度に影響しない箇所に取り付けた周囲温度を検出する第２の温度検出手段８と、制御手段は、第１の温度検出手段６の検出温度が第２の温度検出手段８の検出温度よりも高い状態において、熱起電力型温度センサ５の温度があらかじめ設定した閾値温度以下である場合、検出窓７に汚れが付着していると認識することを特徴としたレンジフード。【選択図】図１
2012097956.tif 000002
【特許請求の範囲】
【請求項１】
加熱調理器のトッププレート付近の温度を計測する熱起電力型温度センサと、前記熱起電力型センサと前記加熱調理器のトッププレートの間に備える前記熱起電力型センサの汚れを防止するための検出窓と、前記熱起電力型温度センサの周囲温度を測定する第１の温度検出手段と、前記加熱調理器のトッププレートの温度に影響しない箇所に取り付けた周囲温度を検出する第２の温度検出手段と、前記第１の温度検出手段と前記第２の温度検出手段の検出した値に応じて前記検出窓の汚れを検出する制御手段とを備え、前記制御手段は、第１の温度検出手段の検出温度が第２の温度検出手段の検出温度よりも高い状態において、前記熱起電力型温度センサの温度があらかじめ設定した閾値温度以下である場合、前記検出窓に汚れが付着していると認識することを特徴としたレンジフード。
【請求項２】
使用者に注意喚起をする表示手段を備え、前記検出窓が汚れたことを表示手段で使用者に知らせることを特徴とした請求項１記載のレンジフード。
【請求項３】
使用者に注意喚起をする報知手段を備え、前記検出窓が汚れたことを報知手段で使用者に知らせることを特徴とした請求項１記載のレンジフード。
【請求項４】
熱起電力型センサの検知温度が閾値温度を下回る時間が、あらかじめ設定された時間を超えた場合に、第１の温度検出温度に汚れ等が付着していると判断することを特徴とする請求項１記載のレンジフード。
【請求項５】
加熱調理機器から発せられる調理温度の信号を受信する受信手段を備え、受信した調理温度に応じて前記熱起電力型温度センサの温度があらかじめ設定した閾値温度を変化させることを特徴とする請求項１記載のレンジフード。
【請求項６】
加熱調理器と熱起電力型センサとの距離に応じて、前記熱起電力型温度センサの温度があらかじめ設定した閾値温度を補正させることを特徴とする請求項１記載のレンジフード。
【請求項７】
加熱調理器と熱起電力型センサとの水平方向の位置関係に応じて、前記熱起電力型温度センサの温度があらかじめ設定した閾値温度を、補正させることを特徴とする請求項１記載のレンジフード。
【請求項８】
第１の温度検出手段は熱起電力型温度センサに内蔵されていることを特徴とする請求項１記載のレンジフード。
【発明の詳細な説明】
【技術分野】
【０００１】
本発明は、使用者の調理状況に応じてキッチンの空気中に含まれるゴミ、埃、ダニの死骸、油成分等をフィルタを介して除去し、きれいになった空気を排気ダクトを通じて屋外へ排出するように自動運転するレンジフードに関するものである。
【背景技術】
【０００２】
従来、鍋を加熱する加熱コイルと、加熱コイルの上部で鍋を載置する天板と、加熱コイルに供給する電力を制御する制御手段と、天板下面に置かれ鍋底面から放射される赤外線を検知する赤外線検出手段と、赤外線検出手段の出力から鍋底面温度を検出する赤外線温度検知手段と、前記赤外線検出手段に所定の波長の光入力を与える発光手段と、工場出荷時、前記赤外線検出手段に前記光入力を与えた状態おいて、赤外線温度検知手段の出力を記憶する初期温度記憶手段と、初期温度記憶手段に記憶された値と、赤外線温度検知手段の出力とを比較して、天板の汚れを検知する汚れ検知手段を備えており、天板の汚れを検知し、制御温度を補正し、電力を  抑制、または、使用者に清掃を換気するものであった（例えば、特許文献１参照）。
【先行技術文献】
【特許文献】
【０００３】
【特許文献１】特開２００８−０１６２０３号公報
【発明の概要】
【発明が解決しようとする課題】
【０００４】
このような従来の技術では、初期温度記憶手段で工場出荷時の状態を記憶させるために所定の赤外線を赤外線検出手段に発光する発光手段を特別に設ける必要があった。
【０００５】
本発明は、上記課題を解決するためのもので発光手段を設けることなく、センサ部に汚れが付着していることを検出することを目的とする。
【課題を解決するための手段】
【０００６】
加熱調理器のトッププレート付近の温度を計測する熱起電力型温度センサと、前記熱起電力型センサと前記加熱調理器のトッププレートの間に備える前記熱起電力型センサの汚れを防止するための検出窓と、前記熱起電力型温度センサの周囲温度を測定する第１の温度検出手段と、前記加熱調理器のトッププレートの温度に影響しない箇所に取り付けた周囲温度を検出する第２の温度検出手段と、前記第１の温度検出手段と前記第２の温度検出手段の検出した値に応じて前記検出窓の汚れを検出する制御手段とを備え、前記制御手段は、第１の温度検出手段の検出温度が第２の温度検出手段の検出温度よりも高い状態において、前記熱起電力型温度センサの温度があらかじめ設定した閾値温度以下である場合、前記検出窓に汚れが付着していると認識するものであり、所期の目的を達成するものである。
【発明の効果】
【０００７】
加熱調理器のトッププレート付近の温度を計測する熱起電力型温度センサと、前記熱起電力型センサと前記加熱調理器のトッププレートの間に備える前記熱起電力型センサの汚れを防止するための検出窓と、前記熱起電力型温度センサの周囲温度を測定する第１の温度検出手段と、前記加熱調理器のトッププレートの温度に影響しない箇所に取り付けた周囲温度を検出する第２の温度検出手段と、前記第１の温度検出手段と前記第２の温度検出手段の検出した値に応じて前記検出窓の汚れを検出する制御手段とを備え、前記制御手段は、第１の温度検出手段の検出温度が第２の温度検出手段の検出温度よりも高い状態において、前記熱起電力型温度センサの温度があらかじめ設定した閾値温度以下である場合、前記検出窓に汚れが付着していると認識するものであり、前記検出窓の汚れをすぐに除去することができ、前記熱起電力型温度センサによる精度の高い最適な自動運転を継続することが出来るという効果を有する。
【図面の簡単な説明】
【０００８】
【図１】本発明の実施の形態のレンジフードの概観図
【図２】本発明の実施の形態のレンジフードの制御構成図
【図３】本発明の実施の形態の動作を示すフローチャート
【図４】本発明の実施の形態の時間と温度の関係を示すグラフ
【発明を実施するための形態】
【０００９】
本発明の請求項１の発明は、加熱調理器のトッププレート付近の温度を計測する熱起電力型温度センサと、前記熱起電力型センサと前記加熱調理器のトッププレートの間に備える前記熱起電力型センサの汚れを防止するための検出窓と、前記熱起電力型温度センサの周囲温度を測定する第１の温度検出手段と、前記加熱調理器のトッププレートの温度に影響しない箇所に取り付けた周囲温度を検出する第２の温度検出手段と、前記第１の温度検出手段と前記第２の温度検出手段の検出した値に応じて前記検出窓の汚れを検出する制御手段とを備え、前記制御手段は、第１の温度検出手段の検出温度が第２の温度検出手段の検出温度よりも高い状態において、前記熱起電力型温度センサの温度があらかじめ設定した閾値温度以下である場合、前記検出窓に汚れが付着していると認識するという構成を有する。
【００１０】
これにより、検出窓の汚れをすぐに除去することができ、前記熱起電力型センサによる精度の高い最適な自動運転を継続することができるという効果を有する。
【００１１】
本発明の請求項２の発明は、使用者に注意喚起をする表示手段を備え、前記検出窓が汚れたことを表示手段で使用者に知らせる構成を有する。
【００１２】
これにより、使用者に容易に汚れが付着していることを気づかせることができるという効果を有する。
【００１３】
本発明の請求項３の発明は、使用者に注意喚起をする報知手段を備え、前記検出窓が汚れたことを報知手段で使用者に知らせる構成を有する。
【００１４】
これにより、使用者に容易に汚れが付着していることを気づかせることができるという効果を有する。
【００１５】
本発明の請求項４の発明は、熱起電力型センサの検知温度が閾値温度を下回る時間が、あらかじめ設定された時間を超えた場合に、第１の温度検出温度に汚れ等が付着していると判断する構成を有する。
【００１６】
これにより、外乱による影響等で瞬間的な温度変化を検出することによる誤認識を抑制することができるという効果を有する。
【００１７】
本発明の請求項５の発明は、加熱調理機器から発せられる調理温度の信号を受信する受信手段を備え、受信した調理温度に応じて前記熱起電力型温度センサの温度があらかじめ設定した閾値温度を変化させる構成を有する。
【００１８】
これにより、調理器具の種類等による加熱調理器のトッププレート温度の違いに応じて最適なしい閾値を設定できるという効果を有する。
【００１９】
本発明の請求項６の発明は、加熱調理器と熱起電力型センサとの距離に応じて、前記熱起電力型温度センサの温度があらかじめ設定した閾値温度を補正させる構成を有する。
【００２０】
これにより、距離の違いによる温度検出誤差を無くすことができるという効果を有する。
【００２１】
本発明の請求項７の発明は、加熱調理器と熱起電力型センサとの水平方向の位置関係に応じて、前記熱起電力型温度センサの温度があらかじめ設定した閾値温度を、補正させる構成を有する。
【００２２】
これにより、これにより、距離の違いによる温度検出誤差を無くすことができるという効果を有する。
【００２３】
本発明の請求項８の発明は、第１の温度検出手段は熱起電力型温度センサに内蔵されているという構成を有する。
【００２４】
これにより、精度良く温度を検出出来ると共に部品点数を削減しシンプルな製品構成にすることができるという効果を有する。
【００２５】
以下、本発明の実施の形態について図面を参照しながら説明する。
【００２６】
（実施の形態１）
図１、２に示すように、レンジフード１の本体は、加熱調理器２の上方に配置され、レンジフード１の本体には、使用者が加熱調理器２との高さ・水平方向の距離に応じた設定をするための操作部３と、加熱調理器２のトッププレート４近傍の温度を検出する熱起電力型温度センサ５と、熱起電力型温度センサ５に内蔵され熱起電力型温度センサの周囲温度を検出する第１の温度検出手段６と、熱起電力型温度センサ５の汚れを防止するための検出窓７と、トッププレートの温度に影響しない箇所に取り付けた周囲温度を検出する第２の温度検出手段８と、加熱調理器２からレンジフード１に送信されるトッププレート４の温度情報を受信するための受信部９と、第１の温度検出手段６と第２の温度検出手段８の検出した値に応じて検出窓７の汚れを検出する制御手段１０と、検出窓７に汚れが付着していることを使用者に知らせるための表示手段１１及び報知手段１２から構成される。
【００２７】
ここで、トッププレートの温度に影響しない箇所として、調理時の熱が到達しない距離に配置するものとする。例えば、図１に示すように加熱調理器２の加過熱部の真上を避けて、レンジフード１の本体、側面奥側に配置することが望ましい。
【００２８】
上記構成において、レンジフードが第１の温度検出手段６と第２の温度検出手段８の検出した値に応じて熱起電力型温度センサ５の検出窓７に汚れが付着していることを検出するまでの動作を図２の制御構成図及び図３の動作フローチャート及び図４のグラフを用いて説明する。
【００２９】
ＳＴＥＰ１からＳＴＥＰ５では、レンジフード１が設置された際に加熱調理器２との位置関係等に応じて設定をする。レンジフード１と加熱調理器２の高さ方向及び水平方向の位置関係及び、加熱調理器２からトッププレート４の温度を受信出来る場合は受信温度に応じて閾値温度Ｔｘを設定する。ここで、レンジフード１と加熱調理器２の高さ方向の距離は一般的な８０ｃｍと１００ｃｍの２パターンとすると閾値温度Ｔｘの関係は８０ｃｍの時の閾値温度Ｔｘ＞１００ｃｍの時のＴｘとなるものとする。但し、加熱調理器２からトッププレート４の温度を受信出来る場合には、受信した温度を優先して閾値温度Ｔｘを決定する。
【００３０】
次にＳＴＥＰ６からからＳＴＥＰ１３について説明する。
【００３１】
第１の温度検出手段６の検出温度Ｔ１と第２の温度検出手段８の検出温度Ｔ２とを比較し、Ｔ１＞Ｔ２の温度差がある場合において、加熱調理器を使用中であることを認識する。次に、熱起電力型温度センサ５の検出温度Ｔ３とあらかじめ設定された閾値温度Ｔｘとを比較しＴ３＜Ｔｘの状態をあらかじめ設定された時間ｔｘよりも長い間検出した場合、トッププレート４近傍の温度を正しく認識できていないため検出窓７に汚れが付着しているということを認識し、使用者に検出窓７に付着した汚れを取り除くために表示及び報知をする。
【００３２】
ここで、トッププレート４が１００℃付近の時にＴ１の温度が３℃〜５℃程度まで上昇するため、Ｔ１とＴ２の温度差が３℃〜５℃程度の時に加熱調理器を使用中であると認識する。閾値温度Ｔｘは、検出窓７に明らかに汚れが付着していることを判断出来るように、加熱調理器２からのトッププレート４の受信温度の半分程度の温度が望ましい。受信温度と検出温度Ｔ３はグラフに示すようにほぼ同じ温度上昇グラフを示すが、検出窓７に汚れが付着した場合には、検出温度Ｔ３は検出温度Ｔ３‘まで下がるため、閾値温度Ｔｘ以下となり検出窓７の汚れを認識する。
【００３３】
あらかじめ設定された時間ｔｘは、外乱等による瞬間的な温度上昇を誤認識しないように、３秒以上に設定することが望ましい。
【００３４】
以上のように、本実施の形態によれば、従来のように特別に光手段を設けることなく、センサ部に汚れが付着していることを検出することができるので、検出窓の汚れをすぐに除去することができ、前記熱起電力型センサによる精度の高い最適な自動運転を継続することが可能となる。
【産業上の利用可能性】
【００３５】
本発明では、熱起電力型温度センサによる精度の高い最適な自動運転を継続することが出来るレンジフードを提供でき家庭用の用途のほか、食堂やホテルなどの業務用の用途などにも適用できる。
【符号の説明】
【００３６】
１    レンジフード
２    加熱調理器
３    操作部
４    トッププレート
５    熱起電力型温度センサ
６    第１の温度検出手段
７    検出窓
８    第２の温度検出手段
９    受信部
１０  制御手段
１１  表示手段
１２  報知手段
【図１】
2012097956.tif 000003
【図２】
2012097956.tif 000004
【図３】
2012097956.tif 000005
【図４】
2012097956.tif 000006